(57)【要約】      （修正有）【課題】不使用時のピック部の安全性を安価かつ確実に確保することができる歯間清掃具を提供する。【解決手段】歯間清掃具の本体１の一部に、先端１４１を尖らせた棒状のピック部を突設する。本体１にはガードリング１５が形成されており、ガードリング１５はピック部を囲むように本体１から略Ｕ字状に突出してその頂部１５１の背後に近接してピック部の先端１４１を位置させ、ガードリング１５の両脚部１５２，１５３は弾性復帰力を発揮する薄肉のインテグラルヒンジ１６を介して本体１に連結されている。【選択図】図１
0003164197.tif 000002
【実用新案登録請求の範囲】
【請求項１】
歯間清掃具の本体の一部に、先端を尖らせた棒状のピック部を突設するとともに、前記ピック部の先端を覆うように前記本体から保護部を一体に延出形成し、前記保護部は弾性復帰力によって前記ピック部の先端に当接ないし近接する位置に保持されている歯間清掃具。
【請求項２】
前記保護部は前記ピック部を囲むように前記本体から略Ｕ字状に突出してその頂部の背後に近接して前記ピック部の先端を位置させ、前記保護部の両脚部が弾性復帰力を発揮する薄肉部を介して前記本体に連結されている請求項1に記載の歯間清掃具。
【請求項３】
前記本体にはさらに、フロスを張設する一対の支持腕部が形成されている請求項１又は２に記載の歯間清掃具。
【考案の詳細な説明】
【技術分野】
【０００１】
本考案は歯間清掃具に関し、特に、歯間用糸歯ブラシの構造改良に関する。
【背景技術】
【０００２】
例えば特許文献１には歯間清掃具の一例として歯間用糸歯ブラシが示されており、これを図３に示す。図３において、把持部を兼ねる本体３の一端にはアーチ状の糸張り部３１が形成されて、この糸張り部３１の開口部にフロス（糸）３２が張られている。一方、上記本体３の他端には楊枝機能を有する先端の尖ったピック部３３が形成されている。このような糸歯ブラシによれば、ピック部３３と、糸張り部３１に張設したフロス３２によって、歯間を良好に清掃することができる。
【先行技術文献】
【特許文献】
【０００３】
【特許文献１】再公表ＷＯ２００７／１３９１１２
【考案の概要】
【考案が解決しようとする課題】
【０００４】
ところで、楊枝機能を果たすピック部３３は、フロス３２を使用して歯間の清掃をしている間は全く使用されることがない。にも関わらず、上記従来の糸歯ブラシでは先端の尖ったピック部３３が剥き出しであるために、フロス３２の使用中に本体を掴んだ手等を誤って傷つけるという問題があった。この場合、不使用時にはピック部３３に防護キャップを被せる等の対策も考えられるが、別体の防護キャップは紛失し易い上に、コスト高になるという問題がある。
【０００５】
そこで、本考案はこのような課題を解決するもので、不使用時のピック部の安全性を安価かつ確実に確保することができる歯間清掃具を提供することを目的とする。
【課題を解決するための手段】
【０００６】
上記目的を達成するために、本第１考案では、歯間清掃具の本体（１）の一部に、先端（１４１）を尖らせた棒状のピック部（１４）を突設するとともに、前記ピック部（１４）の先端（１４１）を覆うように前記本体（１）から保護部（１５）を一体に延出形成し、前記保護部（１５）は弾性復帰力によって前記ピック部（１４）の先端（１４１）に当接ないし近接する位置に保持されている。
【０００７】
本第１考案においては、ピック部の先端に保護部が近接ないし当接しているから、本体を把持した使用者の手や指の一部が直接、尖った上記先端に触れることはなく、これにより傷付きが防止されて安全性が確保される。また、保護部は本体から一体に延出形成されているから、紛失のおそれがないとともに、コストの上昇も避けられる。
【０００８】
本第２考案では、前記保護部（１５）は前記ピック部（１４）を囲むように前記本体（１）から略Ｕ字状に突出してその頂部（１５１）の背後に近接して前記ピック部（１４）の先端（１４１）を位置させ、前記保護部（１５）の両脚部（１５２，１５３）が弾性復帰力を発揮する薄肉部（１６）を介して前記本体（１）に連結されている。
【０００９】
本第３考案では、前記本体（１）にはさらに、フロス（２）を張設する一対の支持腕部（１２）が形成されている。
【００１０】
上記カッコ内の符号は、後述する実施形態に記載の具体的手段との対応関係を示すものである。
【考案の効果】
【００１１】
以上のように、本考案の歯間清掃具によれば、不使用時のピック部の安全性を安価かつ確実に確保することができる。
【図面の簡単な説明】
【００１２】
【図１】本考案の一実施形態を示す、歯間用糸歯ブラシの斜視図である。
【図２】ピック部を使用中の歯間用糸歯ブラシの斜視図である。
【図３】従来の歯間用糸歯ブラシの側面図である。
【考案を実施するための形態】
【００１３】
図１に本考案の歯間清掃具の一例として歯間用糸歯ブラシを示す。糸歯ブラシは樹脂の一体成形品で、把持部を兼ねる扁平な本体１を備えている。本体１は一端部１１が水平に湾曲しつつ幅が拡大し、その先端は中央が略円弧状に凹陥して、凹陥部１１１の両側に支持腕部１２が形成されている。そして、これら支持腕部１２間に公知の構造でフロス２が張設されている。
【００１４】
糸歯ブラシの本体１の他端１３には中央に、先の尖った長円錐形の棒状ピック部１４が突出形成されている。さらに、本体１の他端１３には、ピック部１４と略同一面内にこれを囲むようにＵ字形に成形された保護部としてのガードリング１５が一体に形成されている。
【００１５】
ガードリング１５は略円形断面の棒状をなし、その棒外径はピック部１４の先端１４１を覆うに十分な大きさとしてあって、ガードリング１５がピック部１４と同一面内に位置する図１の状態では、ガードリング１５の頂部１５１がピック部１４の先端１４１に近接して位置して、当該頂部１５１によってガードリング１５の尖った先端１４１が外方から覆われている。
【００１６】
ガードリング１５はＵ字形の両脚１５２，１５３の端部が、薄肉部としてのインテグラルヒンジ部１６を介して本体１の他端１３に連結されて、インテグラルヒンジ部１６の弾性復帰力によって上記同一面内に保持されている。
【００１７】
このような糸歯ブラシにおいて、本体一端１１のフロス２を使用して歯間を清掃している場合には、本体他端１３のピック部先端１４１がガードリング１５の頂部１５１によって外方から覆われているから、その尖った先端１４１が触れて、本体１を把持した手等が傷付けられることはない。
【００１８】
ピック部１４１を使用して歯間を清掃する場合には、図２に示すように、本体１を把持した手の指先等でインテグラルヒンジ部１６の弾性復帰力に抗してガードリング１５を折り曲げ、ガードリング１５を傾斜状態としてその頂部１５１を、ピック部先端１４１を覆う位置から退避させる。
【００１９】
これによってピック部１４の尖った先端１４１が露出させられるから、これを歯間に挿入して清掃を行なうことができる。なお、この場合のインテグラルヒンジ部１６の折り曲げ（ガードリング１５の傾斜変形）は、当該ヒンジ部１６の肉厚を調整することによって適度な力で行なえるように設定できる。ピック部１４を使用した後はガードリング１５を離すと、インテグラルヒンジ部１６の弾性復帰力によって、ガードリング１５は再びその頂部１５１がピック部先端１４１を覆う位置まで戻される。
【００２０】
なお、上記実施形態においては、ガードリング１５の頂部１５１をピック部１４の先端１４１に近接するように位置させたが、ガードリング１５の頂部１５１をピック部１４の先端１４１に正面からあるいは側面から当接させるようにしても良い。また、保護部としては必ずしも上記実施形態で説明したガードリングのような形状である必要はない。さらに、上記実施形態では歯間用糸歯ブラシへの本考案の適用について説明したが、他の歯間清掃具にも同様に適用することができる。
【符号の説明】
【００２１】
１…本体、１２…支持腕部、１４…ピック部、１４１…先端、１５…ガードリング（保護部）、１５１…頂部、１５２，１５３…脚部、１６…インテグラルヒンジ（薄肉部）、２…フロス。
【図１】
0003164197.tif 000003
【図２】
0003164197.tif 000004
【図３】
0003164197.tif 000005